(57)【要約】      （修正有）〔要約〕〔課題〕不織布その他の少量の生地で、手袋状の袋体を形成し、中指部のみ挿入する箇所を、縫製もしくは接着方法で作り、手首までの長さのものは、洗顔用、洗髪用その他にし、丈を長くして裏面を防水加工したものは、介護用等に使用するようにする。特に中指を強調して作製するのは、顔面においては、眼のまわり、はなのまわり等、通常細部で、洗いが行届かない箇所を、特によく洗えるようにしたもので、他の指部も、その周辺をやさしく洗えるようになっている。この手袋体は、タオル等を、不必要とする介護上等における利点を併せもち、左右の手両面に使える手袋である。又、洗髪にも同様で、中指が地肌の汚れをよくおとし、特に、毛染めの後の肌の汚れを除去するには、これに叶うものはない。介護用手袋は、浴槽の中でも、両手をとられず片手のみで操作できるし、タオル等も、不要で、手袋体そのもので操作でき片手で、石鹸を泡立てられるので介護が非常にらくになる。〔解決手段〕有望と思われる洗顔、洗髪用等の単体の袋体を製作する上において、一番課題の事は、もし需要が高まった場合、大量の製造が出来ない事が難点と思われる。これを解決するには、原反から加工を施して、熱処理をする方法しかないと思う。その点、介護用の手袋は心配ない。解決手段の題名に直接つながらないかと思いつつ、つい記してしまった。【特許請求の範囲】
【請求項１】
洗面用、洗髪用その他の身体上の清拭に役立つ１本指挿し入の手袋体に於いて、てのひらの中央箇所にそれぞれの使用目的に適する洗剤等を表面部位に収納しておき、使用時、まず片手にはめてから湯水につけてぬらして直ちに収納部の辨片を取り去り、指を２度３度折り曲げる様にして、手のひらに触れるときは、泡立つものは直ちに泡立ちその他のものも掌中にひろがり、洗髪や洗顔その他の目的が速やかに達せられる手袋体。
【発明の詳細な説明】
【技術分野】
【０００１】本発明は、１本指入の、身体清拭用手袋体において、てのひらに開口辨部を設けた洗剤等の収納部と、指部を折り曲げる所作によって、即座に泡立つようにした手袋。
【背景技術】
【０００２】
【特許文献１】
【特許文献２】
【非特許文献１】
【非特許文献２】
従来の５本指の手袋は、多方面にわたり展開されて来た。近年、私の拙案により、中指１本のみの挿入により、身体上の各部位の清拭はもとより、日常の洗面用、洗髪用、その他において意外な効果をあげることが明白になり、さらに押し進めて使用時の簡便さと需要の拡大を計った発明である。
【発明の開示】
【発明が解決しようとする課題】
【０００３】本案のものは、使用感からいつても、中指を中心にして動くので非常に敏しょうである。従来の手袋とは、用途効果等を全く異にする。
その手袋体において必要とするのは、各洗剤をとりつけたり、手指の運動によって泡立ち等の効果をあげる手袋である。
【課題を解決するための手段】
【０００４】すべての老若男女が使用すれば、人間はこういうものを使って身体の清拭をするものだいう事になるのは、５本の指の手袋を、色々に使うのと同じである。
老人を介護して、汚れ易い所を清潔にしたり、入浴の時、身体を洗ってあげたり薬を塗ったりするのもこの手袋だとらくに出来る。
まず人は、産湯から使えるし、若い男性は、脂の強い肌をいつも、さっぱりと出来るし女性は美容に絶対缺かせない肌の手入れは、洗顔で、肌に汚れを残さないことが必須條件であるから、この手袋を使用すれば美肌を保つことが出来る。
又この手袋は、洗髪には、非常な力を発揮する。地肌がよりよく洗え特に毛染めの肌の色残りには悩むものであったが、これを速やかに解決する。
その証拠には、手袋の示す毛染液での汚染である。
地肌についた染液は、除去され、地肌が白くなる効果は驚くばかりである。
理容方面の需要は計りしれない。
【発明の効果】
【０００５】前項においても、色々と述べて来たが、さまざまな効果がある。
まず、不織布等は、選定がむずかしいが、適合すれば使用する生地も用量もごく小量で足りるので、これを縫合接着等を施すとしても可成安価で、出来上るし耐用度も可成持続するので、まず経済面で効果がある。
従って、購買者もやすく手に入れる事が出来る。
次に、販売面においても、多業種にわたるので、業蹟拡大すれば馬鹿にならない。赤ん坊から、老人に至るまで使用できるので、発明の効果は大きい。
本案品は人間のみならず、小は犬猫、大は、馬などに至るまで利用できる。
介護用等は、手袋丈を長くし、裏地は防水の用布なのでそのデサインも用意完了しているが、なかなか手が廻らない。
本発明品は、通常商品としても多岐にわたって販売を可とするが、各社のそれぞれの洗剤等の商品の宣伝用としても、名入等を辨片上にすれば、大いに役立つものである。
【発明を実施するための最良の形態】
【０００６】まず、本発明の手袋を片手にはめる。中指のみ中央の中指入に入れる。
あとの指は、袋状の中である。これで洗顔、洗髪等を中指を中心にして、中指の動きに任せて動かすので、他の指は、その動きに従って袋ごと動き廻る。
本発明のものは、掌の中央部に、洗剤等の収納部を表面体のみに設け、洗剤等はそれぞれの目的に適合したものを収納しておき、使用時はまず手袋をぬらしてから辨片を引き、フタ部を開ける。指を折るようにして掌に２度３度曲げると、泡が直ちに立つので、その泡で洗顔、洗髪等をする。泡の立たない洗剤も掌に均等にひろがるので片手のみで操作できる。
【実施例】
【０００７】手袋体は、両手にはめたい人ははめてもよいが、しかし片手でも充分間に合い長持ちするので経済的である。
【産業上の利用可能性】
【０００７】本発明は、不織布メーカーが実施するか、そこから卸してもらって製造メーカーが、実施するか、あるいは全部をやるか、それぞれの分野で産業の開発を秘めている発明である。この発明は、単純な袋体であり乍ら、業種が多くなるので、おそらく全部を抱えるのはむづかしいと思う。
例えば理容関係は、シャンプー材で、各社のを導入し、化粧品関係は、これ又復雑である。石鹸の会社用は、人間も犬猫用も扱える。
それぞれ病院向け、旅行会社向け、薬店関係雑貨関係等に小分けされるに従って業態が複雑になるが産業上の利用可能性は、ありすぎて困るほどである。
【図面の簡単な説明】
【０００８】
【図１】本発明の袋体部の正面図。
【図２】本発明の袋体部の背面図。
【図３】本発明の使用方法を示す。
【図４】本来の手袋に応用してみたところの図
【符合の説明】
【０００９】図１．  １．  本発明の袋体部
２．  中指挿入部
３．  その止り点
４．  親指止り線
５．  手の挿入口
６．  本発明の洗剤等の納入部
７．  本発明の洗剤取出しのための辨部
図２．  １．  袋体部の背面図
図３    ２．  中指部を折り
６．  洗剤入部の上に指全体を折り曲げる実施図。
【図１】
2005042282.tif 000002
【図２】
2005042282.tif 000003
【図３】
2005042282.tif 000004
【図４】
2005042282.tif 000005
【手続補正書】
【提出日】平成16年5月17日(2004.5.17)
【手続補正１】
【補正対象書類名】特許請求の範囲
【補正対象項目名】全文
【補正方法】変更
【補正の内容】
【特許請求の範囲】
【請求項１】
洗面用、洗髪用その他の身体上の清拭に役立つ１本指入れの手袋体において、中指部を縫製、接着等の手段によって形成し、身体の洗剰、清拭中においては、一本指が適所、細部において集中して清洗でき、他の指部は、動きにつれて、その周辺を優しく洗剰、清拭できる事を主眼とする手袋体である。
【手続補正２】
【補正対象書類名】明細書
【補正対象項目名】全文
【補正方法】変更
【補正の内容】
【発明の詳細な説明】
【技術分野】
【０００１】本発明は、不織布、綿布、加工紙等によって製作でき、洗顔洗髪の他、身体各所の洗剰を、最も手軽に効率よく出来る１本指入れ部を有する手袋体である。
洗顔や洗髪の場合は、丈を短く手首までとし、介護用等は、介護の人の手を汚さない様、腕の半ば位に長くしさらに裏地に防水を施したものとする。
通常この手袋を使用して洗顔する場合は、石鹸のみを使用して泡立て、くまなく洗顔すればよいが、化粧をし、ファンデーション等が肌に重ねて附着している場合には、市販の化粧おとし剤や、洗顔クリーム等を使用の場合が多い。しかし、これらを使用したら、よくよく洗顔しなければ肌にかえって残しが残る恐れがある。
その際、まず紙等で拭って一応おとしてから洗顔するものであるが該手袋においては、その時点から役立つのである。
まず、この手袋をはめてこれで化粧をおとしてしまう、そして顔面をジャブジャブと洗い、湯水が汚れるので取りかえる。洗顔クリーム等泡立てて洗うものもあるが、同様に湯水をかえる。いくらでも汚水が出る。これが顔に附着した汚れと洗剤で、同時におちる。
最後に泡立てた小量の石鹸でやさしく洗うと、完全に汚れはおちる。この様な、技術というと大げさだが一応の経過で、洗顔として、完成に近い。その際、本来において、大切なのは、中指が顔の細部を巡って、よく洗う事である、目の廻り、はなの脇、ひたいからこめがみ、口のまわり、耳の裏まで、中指だからこそよく行き届く、そして袋の中の４本の指は、それにつれて動きまわり、やさしく周辺を洗う。
これで完全な洗顔が完了する。手袋は、ゆすいで、その辺に引掛けておけば次回までには乾いて衛生的である。湯水につけるとヌルヌルする様な素材は絶対さけなければならない。
この様に、洗髪の際も同様の仕様で、殊に毛染めの後の地肌の汚れを除去するのは、これに叶うものはない。
介護用の手袋は、浴槽の中でも片手のみで操作できるし、タオルも不要で、手袋体そのもので洗剰できる上、片手で石鹸の上を撫ぜるだけで少量の石鹸がつくので、掌を二つ折りに動かせば泡立つので、そのため両手を使用しなくてもよいので、介護もされる人も快適である。
【背景技術】
【０００２】
【特許文献１】
【特許文献２】
【非特許文献１】実用新案登録第３０８２９２７号  丸山
【非特許文献２】意匠登録第１１７５６１４号  丸山
【発明の開示】
【発明が解決しようとする課題】
【０００３】１、洗顔用の場合は、顔の細部にわたって中指が動きまわり、他の指も周辺を洗う。
２、洗髪用は、地肌を中指が行き届くのでよく洗え、他の指は毛髪を洗う。
３、介護用は、病人や老人の入浴時、手袋のみで洗え、タオルは不要。
４、犬猫や馬等の動物の場合は、両方使用できること。
【課題を解決するための手段】
【０００４】本発明は、化粧用品として、介護用品としての各分野に於いて充分発展できる可能性を有するので、それ等に対応できる素材をもって製作することであるが、洗顔用等は、大量生産には袋体の周囲のかがりとかに時間がかかる事が難点と思うので、その手段を、目下考慮中である。その他は対応できる。
【発明の効果】
【０００５】この発明は、通常の洗顔の仕方では、素肌の美はとり戻せないが、指一本入れの手袋体を使用することにより、美しさを保つことができるものである。毎日の肌の汚れを積み重ねないようにして、その日その日に取りのぞく事により、美は保たれる。
汚れの度合は、化粧をおとした洗顔の水の汚れが実証する。現在まではタオル等で、大ざっぱな洗顔をしていたから、洗顔した湯の汚れ等も、余り気づかず、こういうものだと思っていた。私もその一人であった。洗顔は美容にとって如何に大切なものであるかは、一本指の手袋を使用する事によってよく解った。
さて、介護についての効果は、手袋がタオルの代わりになって中指の赴くまま細部にわたって洗える事は、非常に介護者にとって樂になる。
ましてや、片手のみで洗え、石鹸もつけられる。そして全体にわたって清潔になるのである。又、身体に、たくさんの塗布薬をぬる様な場合にも、手を汚さずよく塗れる。人間のみならず、犬猫等にも使用できるので、この方面の需要も馬鹿にならない。
【発明を実施するための最良の形態】
【０００６】この発明を、まず洗顔のみにしぼり、デパート等の販促品とする。
大勢の人に同時に使用してもらう事ができ、その効果が解ってもらえる。そして、段々と小売の世界に入る。
この発明こそ、使ってみると次第によさがわかるので、多少時間を要しても成功は疑いない。
【産業上の利用可能性】
【０００７】産業上の利用は大である。化粧雑貨の分野〜介護用品の分野〜衛生用品の分野−動物用品雑貨等の分野で大いに発展の可能性を有する。
【図面の簡単な説明】
【０００８】
【図１】本発明の袋体部の正面図。
【図２】本発明の袋体部の背面図。
【図３】本発明の使用方法の一部を示す。
【図４】同じく本発明の使用上における方法の一部を示す。
【符号の説明】
図１．    １、本発明の袋体部。
２、本発明の中指指入部。
３、その留り点部
４、親指止り点部
使用材料により、伸びるおそれのある場合この斜線と止り点で調節できる。
５、本発明の、手の挿入口で、５’は手を入れ易くするための、前後の差である。
図２．    本発明の袋体部の背面図。
図３．    本発明の袋体部に手をはめたところ。
図４．    本発明の使用上に必要の参考図。
袋体部１の掌を折り曲げて上下に動かすと、少量の石鹸で泡６が立ち、片手で処理できることを示す。
【手続補正４】
【補正対象書類名】図面
【補正対象項目名】全図
【補正方法】変更
【補正の内容】
【図１】
2005042282.tif 000006
【図２】
2005042282.tif 000007
【図３】
2005042282.tif 000008
【図４】
2005042282.tif 000009